(57)【要約】【課題】材料コストを抑えることができる多相クローポールモータと該多相クローポールモータを構成する固定子を提供する【解決手段】多相クローポールモータ１を構成する固定子２は、磁性粉の圧縮成形体からなる圧粉部材と、金属からなる金属部材とで構成されており、少なくとも爪磁極３０の爪部３１が圧粉部材で構成されている。【選択図】図３
2019165633.tif 000002
【特許請求の範囲】
【請求項１】
多相クローポールモータを構成する固定子であって、
磁性粉の圧縮成形体からなる圧粉部材と、金属からなる金属部材とで構成されており、
少なくとも爪磁極の爪部が前記圧粉部材で構成されている、固定子。
【請求項２】
請求項１に記載の固定子を含む、多相クローポールモータ。
【請求項３】
前記爪磁極の爪部の径方向外側に位置する環状部の一部または全部が前記金属部材で構成されている、請求項２に記載の多相クローポールモータ。
【請求項４】
前記爪磁極の爪部の径方向外側に位置する環状部の一部または全部が前記圧粉部材で構成されている、請求項２に記載の多相クローポールモータ。
【請求項５】
複数の前記環状部が前記多相クローポールモータの軸方向へ配置されている請求項３または４に記載の多相クローポールモータ。
【請求項６】
複数の前記環状部の間における軸方向の磁路を形成する磁路形成部材をさらに備える、請求項５に記載の多相クローポールモータ。
【請求項７】
前記磁路形成部材が、前記環状部の径方向外側に配置された外周コアからなる、請求項６に記載の多相クローポールモータ。
【請求項８】
前記外周コアが軟磁性板で形成されている、請求項７に記載の多相クローポールモータ。
【請求項９】
前記軟磁性板が、周方向に積層された積層板で形成されている、請求項８に記載の多相クローポールモータ。
【請求項１０】
前記爪磁極の外周面に平坦面が形成され、前記外周コアに、当該外周コアが前記平坦面に接する接触面が軸方向に沿って形成され、前記接触面と前記爪磁極の外周面とが互いに係合する形状に形成されている、請求項９に記載の多相クローポールモータ。
【請求項１１】
前記外周コアは、前記軸方向に延在し、かつ径方向にも延在し、径方向内周面に前記接触面を有する形状である、請求項１０に記載の多相クローポールモータ。
【請求項１２】
前記磁路形成部材が、前記爪磁極の前記環状部の間に配置されたコアからなる、請求項６に記載の多相クローポールモータ。
【請求項１３】
前記コアが、巻回された軟磁性板で形成されている、請求項８または１２に記載の多相クローポールモータ。
【請求項１４】
前記コアが、前記固定子の相ごとに配置されている、請求項１３に記載の多相クローポールモータ。
【請求項１５】
前記コアが、前記固定子のすべての相に跨る軟磁性板で形成されている、請求項８または９に記載の多相クローポールモータ。
【請求項１６】
前記爪部が互いに分離して独立した構成である、請求項２から１４のいずれか一項に記載の多相クローポールモータ。
【請求項１７】
前記爪部と、金属部材で構成される前記環状部とが一体成形されている、請求項１６に記載の多相クローポールモータ。
【請求項１８】
前記爪部を保持するホルダを備える請求項１６に記載の多相クローポールモータ。
【請求項１９】
前記ホルダに前記爪部の位置を定める切欠き部が設けられている、請求項１８に記載の多相クローポールモータ。
【請求項２０】
前記爪磁極のそれぞれを所定位置に位置決めする位置決め部材をさらに備える、請求項２〜１２のいずれか一項に記載の多相クローポールモータ。
【請求項２１】
前記位置決め部材は、前記爪磁極の前記爪部の周方向位置を規定する位置決め用の凹部を備える、請求項２０に記載の多相クローポールモータ。
【請求項２２】
前記固定子の各相に、アルファ巻で形成されたコイルが設けられている、請求項２〜２１のいずれか一項に記載の多相クローポールモータ。
【請求項２３】
前記コイルは、巻線がフラットワイズ巻とされたものである、請求項２２に記載の多相クローポールモータ。
【発明の詳細な説明】
【技術分野】
【０００１】
本発明は、多相クローポールモータと該多相クローポールモータを構成する固定子に関する。
【背景技術】
【０００２】
従来、多相クローポール型のモータとしては、爪磁極の爪部、径方向継鉄部、外周側継鉄を圧粉コアで形成し、環状コイルを軸方向に挟み込んだ構成のものが知られている（例えば、特許文献１参照）。このような構成のモータによれば、磁路断面積を折曲鉄板の爪部よりも上げることができる。
【０００３】
一般に、圧粉コアには、３次元の無方向性の磁気特性を有するという利点がある。よって、３次元的な広がりを持つことが望ましい爪部や、爪部近傍の径方向継鉄部に圧粉コアを使用することで、磁気特性上の利点を得ることが可能である。
【先行技術文献】
【特許文献】
【０００４】
【特許文献１】特許第４８７８１８３号公報
【発明の概要】
【発明が解決しようとする課題】
【０００５】
しかし、特許文献１のごとき多相クローポールモータは、材料コストが高くなっていた。
【０００６】
そこで、本発明は、材料コストを抑えることができる多相クローポールモータと該多相クローポールモータを構成する固定子を提供することを目的とする。
【課題を解決するための手段】
【０００７】
本発明の一態様は、多相クローポールモータを構成する固定子であって、磁性粉の圧縮成形体からなる圧粉部材と、金属からなる金属部材とで構成されており、少なくとも爪磁極の爪部が圧粉部材で構成されている、固定子である。また、本発明の別の一態様は、上記の固定子を含む多相クローポールモータである。
【０００８】
上記のごとき多相クローポールモータと該多相クローポールモータを構成する固定子によれば、圧粉部材を利用した場合の磁気特性上の利点を確保しながらも、爪磁極の爪部以外の部位を圧粉部材ではない部材で構成することで、材料コストを抑えることが可能となる。
【０００９】
上記の多相クローポールモータにおいては、爪磁極の爪部の径方向外側に位置する環状部の一部または全部が金属部材で構成されていてもよい。
【００１０】
上記の多相クローポールモータにおいて、爪磁極の爪部の径方向外側に位置する環状部の一部または全部が圧粉部材で構成されていてもよい。
【００１１】
上記の多相クローポールモータにおいて、複数の環状部が多相クローポールモータの軸方向へ配置されていてもよい。
【００１２】
上記の多相クローポールモータは、複数の環状部の間における軸方向の磁路を形成する磁路形成部材をさらに備えるものであってもよい。
【００１３】
上記の多相クローポールモータにおける磁路形成部材が、環状部の径方向外側に配置された外周コアからなるものであってもよい。
【００１４】
上記の多相クローポールモータにおいて、外周コアが軟磁性板で形成されていてもよい。
【００１５】
上記の多相クローポールモータにおいて、軟磁性板が、周方向に積層された積層板で形成されていてもよい。
【００１６】
上記の多相クローポールモータにおいて、爪磁極の外周面に平坦面が形成され、外周コアに、当該外周コアが平坦面に接する接触面が軸方向に沿って形成され、接触面と爪磁極の外周面とが互いに係合する形状に形成されていてもよい。
【００１７】
上記の多相クローポールモータにおいて、外周コアは、軸方向に延在し、かつ径方向にも延在し、径方向内周面に接触面を有する形状であってもよい。
【００１８】
上記の多相クローポールモータにおいて、磁路形成部材が、爪磁極の環状部の間に配置されたコアからなっていてもよい。
【００１９】
上記の多相クローポールモータにおいて、コアが、巻回された軟磁性板で形成されていてもよい。
【００２０】
上記の多相クローポールモータにおいて、コアが、固定子の相ごとに配置されていてもよい。
【００２１】
上記の多相クローポールモータにおいて、コアが、固定子のすべての相に跨る軟磁性板で形成されていてもよい。
【００２２】
上記の多相クローポールモータにおいて、爪部が互いに分離して独立した構成であってもよい。
【００２３】
上記の多相クローポールモータにおいて、爪部と、金属部材で構成される環状部とが一体成形されていてもよい。
【００２４】
上記の多相クローポールモータは、爪部を保持するホルダを備えていてもよい。
【００２５】
上記の多相クローポールモータにおいて、ホルダに爪部の位置を定める切欠き部が設けられていてもよい。
【００２６】
上記の多相クローポールモータは、爪磁極のそれぞれを所定位置に位置決めする位置決め部材をさらに備えていてもよい。
【００２７】
上記の多相クローポールモータにおいて、位置決め部材は、爪磁極の爪部の周方向位置を規定する位置決め用の凹部を備えていてもよい。
【００２８】
上記の多相クローポールモータにおいて、固定子の各相に、アルファ巻で形成されたコイルが設けられていてもよい。
【００２９】
上記の多相クローポールモータにおいて、コイルは、巻線がフラットワイズ巻とされたものであってもよい。
【発明の効果】
【００３０】
本発明によれば、材料コストを抑えることができる多相クローポールモータと該多相クローポールモータを構成する固定子を提供することができる。
【図面の簡単な説明】
【００３１】
【図１】計３対の爪磁極を重ね合わせて構成した固定子内周部の斜視図である。
【図２】図１に示す固定子内周部に１つの外周コアを突き合わせて密着させた状態を示す斜視図である。
【図３】固定子内周部の周囲にすべての外周コアが配置され、かつ、環状コイルの巻線端末が引き出された状態の固定子を示す斜視図である。
【図４】本発明の第１実施形態における一対の爪磁極の一方の構成を示す図である。
【図５】本発明の第１実施形態における一対の爪磁極のもう一方の構成を示す図である。
【図６】多相クローポールモータの正面図である。
【図７】図６のVII-VII線における断面の構造を示す図である。
【図８】アルファ巻で形成された環状コイルの正面図である。
【図９】アルファ巻で形成された環状コイルの側面図である。
【図１０】アルファ巻で形成された環状コイルの斜視図である。
【図１１】アルファ巻で形成された環状コイルの、巻線の両端末の周辺構造を拡大して示す斜視図である。
【図１２】アルファ巻で形成された３個の環状コイルを順次周方向にずらして配置した状態を、内部が見えるように外周コアを一つ外して示す斜視図である。
【図１３】一対の爪磁極と環状コイルの分解斜視図である。
【図１４】介在物を外した状態の固定子内周部および外周コアを示す斜視図である。
【図１５】介在物を外した状態の固定子内周部および外周コアを示す斜視図である。
【図１６】外周コアに係合部が形成され、爪磁極の外周に該係合部と係合する被係合部が形成された固定子内周部と、外周コアと、環状コイルの一例を示す斜視図である。
【図１７】図１６から環状コイルを外した状態の固定子内周部および外周コアを示す斜視図である。
【図１８】（Ａ）第５の実施形態に係る多相クローポールモータの固定子内周部の一例を示す斜視図、（Ｂ）他の例を示す斜視図である。
【図１９】環状コイルの巻線の口出し線が引き出される間隙を備えた固定子の一例を示す斜視図である。
【図２０】多相クローポールモータの１相分の爪磁極の分解斜視図である。
【図２１】径方向磁路形成部の一部（外周部）を、電磁鋼板を打ち抜いて軸方向に積層した積層コア（外周コア）で環状に形成したもの、周方向に複数分割した電磁鋼板（あるいは積層コアのブロック）を集積して環状をなして形成したものを（Ａ）〜（Ｃ）まで示す斜視図である。
【図２２】第６の実施形態における固定子の斜視図である。
【図２３】（Ａ）圧粉材からなる爪部材と樹脂ホルダの分離した状態、（Ｂ）各爪部材を樹脂ホルダの切欠き部８１に嵌合した状態、（Ｃ）爪部を保持した樹脂ホルダを３相重ねた状態  を示す斜視図である。
【図２４】第７の実施形態における、モールド成形する際に爪部を一体化した樹脂ホルダを示す斜視図である。
【図２５】爪部を一体化した樹脂ホルダを一対組み合わせた状態を示す斜視図である。
【図２６】図２５に示した樹脂ホルダを３相ぶん重ね合わせた状態を示す斜視図である。
【図２７】爪部を一体化した樹脂ホルダを一対組み合わせ、巻コアから環状コイルの巻線端末が引き出された状態を示す斜視図である。
【図２８】図２７の分解斜視図である。
【図２９】樹脂ホルダ、爪部、環状部の分解斜視図である。
【図３０】爪部が一体化された樹脂ホルダの斜視図である。
【図３１】対となる対向する樹脂ホルダどうしを嵌合させる前の状態を示す斜視図である。
【図３２】対となる対向する樹脂ホルダどうしを嵌合させた状態を示す斜視図である。
【図３３】第８の実施形態における、周囲に巻コアが設けられた固定子の外観斜視図である。
【図３４】図３３に示す固定子の内部を示す斜視図である。
【図３５】環状部の外周に、周方向に分割した積層コアを等間隔に配置して形成した固定子の斜視図である。
【発明を実施するための形態】
【００３２】
添付図面を参照して、圧粉コアとその他のコアとを併用した多相クローポールモータ１の好適な実施形態について説明する。
【００３３】
本発明に係る多相クローポールモータ１は、磁性粉の圧縮成形体からなる圧粉部材と、金属からなる金属部材とを含む固定子２を有しており、すべてが金属部材で構成された固定子に比べて磁路断面積が向上している。なお且つ、この多相クローポールモータ１は、固定子２を構成する爪磁極３０のうち少なくとも爪部３１が圧粉部材で構成されており、圧粉部材を利用した場合の磁気特性上の利点を確保しながらも、爪磁極３０の爪部３１以外の一部または全部を圧粉部材ではない部材で構成することで材料コストを抑えることを可能としている。以下、爪磁極、磁路形成部材などの構成の態様が異なる多相クローポールモータ１について、各種実施形態に例示しつつ説明する。
【００３４】
［第１実施形態］
本実施形態の多相クローポールモータ１は、固定子（ステータヨーク）２、環状コイル４、シャフト（回転子）１１などを備える。固定子２は、爪磁極３０によって構成される固定子内周部３と、外周コア（外周継鉄という場合もある）５０によって構成される固定子外周部５とからなる。爪磁極３０は磁性粉の表面を電気絶縁して圧縮した成形体で形成され、外周コア５０は軟磁性積層板（無方向の電磁鋼板５１を積層したもの）で形成されている。
【００３５】
本実施形態では、圧粉コアで形成されていた従来のクローポールにおける環状部の外周側の一部を、接線方向（多相クローポールモータ１の周方向）に積層した無方向性電磁鋼板５１による外周コア（積層コア）５０）の一部（突出部５０ａ）で構成する。本実施形態の多相クローポールモータ１は、爪磁極３０は、爪部３１、磁極面３１ａ、環状部３２を有する（図１、図４、図５等参照）。
【００３６】
爪部３１は、軸方向（シャフト１１の回転軸の方向を指す）に延在しており、クローポールを形成する。爪部３１には、該シャフト１１とともに回転するロータコアの外周面と所定の微小間隔をもって対向する磁極面３１ａが形成される。爪部３１は、単一の爪磁極３０において複数（一例として、８個）形成されている（図１、図４等参照）。また、環状部３２は、上記の爪部３１から、爪磁極３０の外形側（外周側）へ延在する環状部分である。
【００３７】
これら複数の爪部３１と環状部３２は、多相クローポールモータ１における磁路断面積を拡大するべく、磁性粉の表面を電気絶縁して圧縮した成形体（圧粉コア）によって形成されている。
【００３８】
本実施形態の多相クローポールモータ１では、複数の外周コア５０によって固定子外周部５が構成されている。これら複数の外周コア５０は、固定子内周部３の外側に、周方向に等間隔に配置される（図３参照）。
【００３９】
それぞれの外周コア５０は、固定子内周部３の外側に配置された際、環状コイル４が収まる溝部（凹部）５０ｂを形成するよう、その一部（突出部５０ａ）が径方向内側に延在した形状である（図２参照）。径方向に延在した部分は、溝部（凹部）５０ｂに収まった状態の環状コイル４と重なり合った状態となる（図３参照）。
【００４０】
また、外周コア５０は、軸方向にも延在し、複数の爪磁極３０に接する形状であることが好適である。本実施形態では、４つの突出部５０ａと３つの溝部５０ｂとからなる櫛歯あるいは鋤のような形状の外周コア５０を採用している（図２参照）。この外周コア５０は、対向する２個１対で１相分の爪磁極３０を、６個３対で３相分重ねたときの軸方向長さに対応している（図２参照）。このように外周コア５０を、複数相（本実施形態の場合、３相）の爪磁極３０に共通の構造とすることで、部品点数減少と構造や組み付けの簡素化を実現することができる。
【００４１】
外周コア（磁路形成部材）５０は、櫛歯あるいは鋤のような形状の薄い電磁鋼板５１を複数枚重ね合わせて積層された積層コアからなる（図２の丸い枠で示す部分参照）。圧粉コアで一体的に成形されていた従来型のステータヨークのうち、環状部を構成していた部分の一部と、外周側継鉄を構成していた部分、別言すれば、爪形状付近を除く部分を、本実施形態では、無方向の電磁鋼板５１を横断面における接線方向に積層したコアで構成し、高出力、低損失、低材料コストの多相クローポールモータ１を実現している。
【００４２】
すなわち、本実施形態では、磁気特性で劣り、低出力、高損失、高材料コストに繋がりやすい圧粉コアのうち、鎖交磁束を効果的に増大させうる部分を無方向性電磁鋼板５１によるコアで形成することで、出力やコストを高次元で両立させた多相クローポールモータ１を実現可能としている。
【００４３】
一方、爪磁極３０の外周は、外周コア５０と接する面が平面で形成された多角形であることが好適である。上記のように電磁鋼板５１の積層コアからなる外周コア５０においては、その内周面を円筒外周面のような曲面にする場合、電磁鋼板５１を１枚ずつ段差（ずれ）が生じる構造にせざるを得ず、爪磁極３０の外周面に隙間なく密着させることが難しくなる。この点、外周コア５０と接する面が平面であれば、外周コア５０の内周面を隙間なく密着させることが可能となる。
【００４４】
このように爪磁極３０の外周を多角形とする場合、多相クローポールモータ１の相数が３であれば、爪磁極３０の外周を爪部３１の３倍の辺数の多角形で形成することが好適である。一例として、本実施形態では、爪部３１の数が８、外周が正２４角形である爪磁極３０として、爪部３１の径方向外側（裏側）の部分が辺を含む平面部３３ｆである爪磁極３０Ａ（図４参照）と、爪部３１の径方向外側の部分が角部（平面部３３ｆと平面部３３ｆの間）３３ｃである爪磁極３０Ｂ（図５参照）の２種類を採用し、これらを爪磁極３０Ａ，３０Ｂを一対として周方向に２２．５°ずらして対向させて組み合わせて１相分とし、計３対を電気角１２０°もしくは機械角１５°ずつ順次ずらして重ね合わせて３相分の爪磁極３０を構成している。こうした場合、３相の爪磁極３０に共通の構造である外周コア５０の突出部５０ａを、いずれの爪磁極３０に対してもその外周の平面部３３ｆに隙間なく突き合わせて密着させることができる（図２、図３参照）。
【００４５】
環状コイル４は、爪磁極３０の外側であってかつ外周コア５０の内側に配置される。本実施形態の多相クローポールモータ１においては、３つの環状コイル４が、各相の爪磁極３０の対に対応して軸方向に等間隔に配置される（図３参照）。各環状コイル４は、軸方向においては突出部５０ａによって挟まれ、径方向においては爪磁極３０と外周コア５０とで包まれたような状態となる。
【００４６】
なお、固定子内周部３の周囲には計２４個の外周コア５０が周方向に配置され、かつ、環状コイル４の巻線４１の端末４２が外周コア５０と外周コア５０の間の隙間５６から引き出された状態となり、固定子２が形成される（図３参照）。巻線４１を引き出す隙間は、軸方向に延在するように空いている。
【００４７】
ここで、上記のごとく構成された固定子２を含む多相クローポールモータ１を図６、図７に示しておく。また、符号を付した構成の名称は以下のとおりである。すなわち、符号１２は軸受、１３はロータコア、１４は永久磁石、１５はセンサー磁石、１６は前面ブラケット、１７は背面ブラケット、１８はセンサー、１９は樹脂モールドである。また、符号６は、対をなす爪磁極３０と爪磁極３０の間に介在する介在物である。
【００４８】
ここまで説明したように、本実施形態では、圧粉コアで形成されていた従来のクローポールにおける環状部の一部（外周側の部分）を、接線方向に積層した無方向性電磁鋼板５１による積層コアの一部で構成し、また、環状コイル４を軸方向と径方向とで包み込む構造としたことから、高出力、低損失、低材料コストの多相クローポールモータ１を実現している。
【００４９】
しかも、積層コアからなる外周コア５０の磁束流入面および流出面となる側面が積層方向に概ね直線状となることから、上記の各実施形態では、爪磁極３０の外周のうち、当該直線状の面に接する部分（圧粉コア面）を区分的な平面とし、爪磁極３０を全体的には概ね多角形としたことで、外周コア５０と爪磁極３０とを隙間なく突き合わせて密着させることを可能としている。
【００５０】
［第２実施形態］
本実施形態では、アルファ巻で形成された環状コイル４を採用している（図８〜図１１参照）。アルファ巻で形成された環状コイル４においては、銅線が、最内周では螺旋巻、その他では巻軸方向に２層でそれぞれ逆巻の渦巻状に巻線されており、巻線４１の両端末４２が最外周に位置する（図１０、図１１等参照）。また、巻線４１には平角線が用いられており、これによって隣接する巻線４１どうしの間に隙間ができ難くし、巻線４１の巻密度を向上させている。
【００５１】
アルファ巻で形成された環状コイル４によれば、巻線４１の両端末４２が当該環状コイル４の外側から引き出されるため、端末を避けるスペースが必要なくなり、磁気回路断面積が増え、巻線処理を簡便にすることができる。
【００５２】
なお、アルファ巻は、例えば、巻線４１の内周における１巻を螺旋状にし、その他を逆巻の渦巻形状に巻線し、空芯巻後、加熱で固着させる手法（自己融着平角線アルファ巻）等によって実施することができる。
【００５３】
アルファ巻で形成された環状コイル４は、例えば本実施形態のごとき３相の多相クローポールモータ１であれば３個が、順次周方向にずらした状態で設けられてもよい。
【００５４】
また、本実施形態における巻線４１は、断面辺長が異なる平角線であって、断面長手方向を軸方向に向けて巻くフラットワイズ巻とされている。一般的に、コイルの口出し線は外周コア（外周継鉄）同士の間隙を通り抜けるようにして外周に引き出す必要があるが、外周コアは磁気抵抗を低減するため、できるだけ磁路断面積を拡大する必要があり、外周コア間の間隙は狭い方が好ましい。このような状況で、本実施形態では、断面長手方向を軸方向に向けたフラットワイズかつα巻きの環状コイル４を使用し、コイルの口出し線（巻線４１）が軸方向に並んだ状態としていることから（図１０、図１１等参照）、接線方向に狭い断面配置（別言すれば、爪磁極３０の外周部３４の切り欠き３４ａの周方向の隙間が狭い状態）で外周コアの間隙を通すことができ、巻線断面積を確保できるため、全体として低銅損のコイルを提供できる。
【００５５】
［第３の実施形態］
本実施形態の多相クローポールモータ１は、磁性粉を圧縮した磁性成形体で形成された爪磁極３０を備える。爪磁極３０は、軸方向に延在し回転子と微小間隔をもって対向する磁極面３１ａを有する複数の爪部３１と、爪部３１から外形側へ延在する環状部３２と、軸方向に延在する外周部３４と、からなる（図１２、図１３参照）。爪磁極３０は、複数が、互いに隣接する当該爪磁極３０の爪部３１が周方向に交互に配置された状態で、かつ、互いに隣接する当該爪磁極３０の環状部３２が軸方向に対向した状態で、軸方向に積層されて固定子２を形成している。
【００５６】
爪磁極３０の外周部３４には、環状コイル４の巻線４１を外周側へ引き出すための切り欠き３４ａが形成されている。切り欠き３４ａは、隣接する対の爪磁極３０の環状部３２を軸方向に対向させた状態で、切り欠き３４ａどうしが向かい合い、巻線４１の大きさに対応した引き出し孔が形成されるように配置されていてもよい（図１２、図１３参照）。
【００５７】
環状コイル４は、上記の実施形態と同様、アルファ巻で形成されており、隣接する爪磁極３０の環状部３２のそれぞれの間隙に配置される。巻線４１には平角線が用いられており、一対の切り欠き３４ａが向かい合って形成される引き出し孔から外周側へ引き出されている（図１２、図１３参照）。
【００５８】
アルファ巻で形成された環状コイル４は、例えば本実施形態のごとき３相の多相クローポールモータ１であれば３個が、順次周方向にずらした状態で設けられる（図１２参照）。
【００５９】
本実施形態の多相クローポールモータ１のように、固定子２のすべてが磁性粉を圧縮した磁性成形体で形成されている場合にも、上記の実施形態と同様にアルファ巻で形成された環状コイル４を採用することで、巻線４１の両端末４２が当該環状コイル４の外側から引き出されるようにして、巻線処理を簡便にすることができる。
【００６０】
［第４の実施形態］
本実施形態の多相クローポールモータ１においては、爪磁極３０の外周と接する、外周コア５０の突出部５０ａの面に係合部５５が形成され、かつ、爪磁極３０の外周の外周コア５０と接する面に、爪部３１の延在方向に向かい、内周方向に食い込む形状で構成され、外周コア５０の係合部５５と係合する被係合部３５が形成されている。このような構造は下記のごとく作用する。
【００６１】
すなわち、上記の第１〜第３の実施形態のごとく向き合って重ね合わせられた一対の爪磁極（圧粉コア）３０には、互いに磁気吸引力が作用するところ、当該磁気吸引力は、径方向、周方向においては全周で相殺されるが、軸方向においては相殺されることなくそのまま作用する。本実施形態の多相クローポールモータ１において、爪磁極３０間には環状コイル４が配置されるが（図１４等参照）、この環状コイル４で吸引力を支持することは絶縁等の観点で好ましくない。この点、上記のごとく爪磁極３０の外周面に被係合部３５を形成し、これらを外周コア５０の係合部５５に係合させ、向き合って重ね合わせられた一対の爪磁極３０どうしが所定距離よりも接近し合わないように間隔を規制することで、その吸引力を環状コイル４に作用させずに外周コア５０で支持することができる。別言すれば、外周コア５０を、爪磁極３０どうしの最小間隔を環状コイル４の厚みよりもわずかに大きい程度に規定するストッパー（つっかえ）として機能させることにより、環状コイル４に作用する力を制限することができる。
【００６２】
なお、被係合部３５や係合部５５は、互いが係合することによって爪磁極３０を所定間隔に保持しうる限り、の具体的な構造が特に限定されることはない。例示すれば、被係合部３５は、爪部３１の延在方向に向かい内周方向に食い込むように傾斜した斜面をもつテーパ形状であってもよいし、あるいは、図１４、図１５に示すような段付形状であってもよい。
【００６３】
また、向き合って重ね合わせられる一対の爪磁極３０どうしの間に例えば筒状の介在物６を介在させ、磁気吸引力を当該介在物６によって受け止める構造の場合にあっては、上記のごとき被係合部３５や係合部５５を併設することによって当該介在物６が受ける磁気吸引力を複数の外周コア５０に負担させて軽減させてもよい（図１６、図１７等参照）。介在物６は、爪磁極３０のそれぞれを所定の相対位置に位置決めする位置決め部材として機能しうる。
【００６４】
［第５の実施形態］
本実施形態の多相クローポールモータ１において、環状部３２の一部または全部と複数の爪部３１とは、多相クローポールモータ１における磁路断面積を拡大するべく、磁性粉の表面を電気絶縁して圧縮した磁性成形体（圧粉コア）によって形成されている。また、多相クローポールモータ１における軸方向への磁路形成部材の少なくとも一部を、回転軸を中心として軟磁性板を巻いて概ね円筒状を形成した巻コア５７にて形成している（図１８（Ｂ）参照）。
【００６５】
巻コア５７は、軟磁性体、例えば、材料歩留まりが高く磁気特性が優れた方向性電磁鋼板を渦巻状に巻装し、あるいは渦巻状に配置することによって形成されて（図２０等参照）、軸方向への磁路形成部の一部を形成する。巻コア５７は、圧延方向が巻の中心軸に向くよう巻装される。巻コア５７には、円周上の一部を切り欠いた状態の間隙５７ａが形成される（図２０参照）。間隙５７ａからは、環状コイル４の巻線４１の巻線端末４２を含む口出し線が引き出される（図１９、図２０参照）。
【００６６】
多相クローポールモータ１において、巻コア５７に対して軸方向に接する平板部分の部材を、積層コア（外周コア５０）とすることができる（図１８（Ａ）参照）。この場合、径方向磁路形成部の一部（外周部）を、電磁鋼板５１を打ち抜いて軸方向に積層した積層コア（外周コア５０）で環状に形成してもよい。また、径方向磁路形成部の一部（外周部）を、周方向に複数分割した電磁鋼板５１（あるいは積層コアのブロック）を集積して環状をなして形成してもよい（図２１参照）。
【００６７】
本実施形態によれば、圧粉部材を含む径方向の磁路形成部材の外周部を、安価で磁気特性の高い電磁鋼板５１で形成しているため、鎖交磁束が多く、損失が少なく、より安価な多相クローポールモータ１を提供できる。また、爪磁極３０の少なくとも爪部３１を含む部分を圧粉コアで形成しているため、鎖交磁束量の増大による出力増大、小型化、低損失化（鉄損）を実現することができる。
【００６８】
［第６の実施形態］
本実施形態では、多相クローポールモータ１の固定子２のうち、ロータコアが設置される空隙面に面した爪形状部分である爪部３１を、磁性粉を圧縮した磁性成形体（圧粉部材）、他の部位を稠密な軟磁性体で形成する（図２３参照）。
【００６９】
爪部３１の他の部位、すなわち爪磁極３０における磁路形成部材のうち爪部３１を除く部位は、材料歩留まりが高く磁気特性が優れた部材たとえば電磁鋼板を使用して形成されている（図２２における環状部３２、巻コア５７の部分参照）。
【００７０】
圧粉部材（圧粉コア）で形成される爪部３１は磁極ごとに分割されて、各爪部３１は樹脂ホルダ８０によって保持される（図２３参照）。
【００７１】
樹脂ホルダ８０は、爪部３１とは別途成形された樹脂ホルダで、多相クローポールモータ１の軸方向両側から嵌合された各爪部３１を保持し、これら爪部３１の周方向の角度、対向距離を所定のものとする。本実施形態の樹脂ホルダ８０は環状に形成されていて、爪部３１を環状かつ角度等配に配置する切欠き部８１を備える。各爪部３１は、切欠き部８１に固定または固着された状態で保持される。
【００７２】
本実施形態の樹脂ホルダ８０は、多相クローポールモータ１の軸方向における一方側（図２３中の例えば上側）に開いた形状の切欠き部８１と、他方側（図２３中の例えば下側）に開いた形状の切欠き部８１とが周方向に交互に配列された構造となっている（図２３参照）。また、本実施形態の樹脂ホルダ８０は、環状の１層、対向した電気１相、あるいは全相の爪部３１と一体成型された樹脂モールドである。
【００７３】
樹脂ホルダ８０には、各相の爪磁極３０の周方向位置を決め、同芯度と相対角度を定める位置決め部８２が設けられている。例えば本実施形態では、隣接する他の相の樹脂ホルダ８０どうしが係合する部位には比較的小さい突部と凹部とで構成される位置決め部８２を設け（図２３（Ａ）、（Ｂ）参照）、それ以外の部位（例えば前面ブラケット１６、背面ブラケット１７、樹脂モールド１９など）に係合する部位には比較的大きい突部で構成される位置決め部８２を設けている（図２３（Ｃ）参照）。
【００７４】
また、多相クローポールモータ１における軸方向への磁路形成部材の一部は、回転軸を中心として軟磁性板を巻いて概ね円筒状を形成した巻コア５７にて形成されている（図２２参照）。上記実施形態と同様、巻コア５７は、軟磁性体、例えば、材料歩留まりが高く磁気特性が優れた方向性電磁鋼板を渦巻状に巻装し、あるいは渦巻状に配置することによって形成されており、軸方向への磁路形成部の一部を形成する。巻コア５７は、圧延方向が巻の中心軸に向くよう巻装される。巻コア５７には、円周上の一部を切り欠いた状態の間隙５７ａが形成されており、この間隙５７ａからは、環状コイル４の巻線４１の巻線端末４２を含む口出し線が引き出される。
【００７５】
本実施形態によれば、径方向の磁路形成部材のうち爪部３１を除く多くの部分を、安価で磁気特性の高い材料で形成しているため、鎖交磁束が多く、損失が少なく、より安価な多相クローポールモータ１を提供できる。また、爪磁極３０の爪部３１の部分を圧粉コアで形成しているため、鎖交磁束量の増大による出力増大、小型化、低損失化（鉄損）を実現することができる。
【００７６】
［第７の実施形態］
上記第６の実施形態では樹脂ホルダ８０を単体で成形し、該樹脂ホルダ８０の切欠き部８１に嵌合させて保持する構成としたが、これに代え、本実施形態では、樹脂ホルダ８０をモールド成形する際に爪部３１を一体化したハイブリッド部品を採用する（図２４参照）。このように一つの相をなす爪部３１と樹脂ホルダ８０とを予めを一体部品としておくことで、多相クローポールモータ１の組み立て作業をより容易なものとすることができる（図２５〜図３１参照）。
【００７７】
樹脂ホルダ８０は、環状に配置される１層の複数の爪部３１と一体成形される。爪磁極３１は、それぞれが樹脂ホルダ８０に固定または固着された状態となる。
【００７８】
樹脂ホルダ８０には、たとえば電磁鋼板で構成された環状部３２と組み合わされ一体化される（図２４、図２９等参照）。環状部３２は、上記の爪部３１から、爪磁極３０の外形側（外周側）へ延在する環状部分である。
【００７９】
樹脂ホルダ８０は、対となる対向する樹脂ホルダ８０と互いに嵌合しあう構成であってもよい。例えば本実施形態の樹脂ホルダ８０は、対となる樹脂ホルダ８０に向けて突出する突部８３を備えている。突部８３は、周方向幅が先細りとなるテーパ形状であって、複数が、周方向に等間隔に並んでいる（図２８等参照）。一対の樹脂ホルダ８０を組み合わせると、各突部８３が、対向する樹脂ホルダ８０の突部８３と突部８３の間に嵌まり込み、対の樹脂ホルダ８０どうしが嵌合した状態となる（図３１等参照）。
【００８０】
また、これら突部８３のそれぞれには、圧粉材料で形成された爪部３１が固定または固着されて保持される（図２９、図３０等参照）。
【００８１】
［第８の実施形態］
本実施形態では、径方向磁路形成部材の径方向途中までは圧粉部材、それ以外は電磁鋼板（からなる積層コアまたは巻コア）を用いて形成した固定子２であり（図３３〜図３５参照）、形状自由度に優れる圧粉部材と、磁気特性に優れる電磁鋼板のハイブリッド構造となっている。別言すれば、径方向磁路形成部材の内側は圧粉部材、外側（環状部３２）は鋼板製とされた構造である。
【００８２】
外周側の軸方向継鉄部は、巻コア５７であってもよい（図３３参照）。あるいは、軸方向継鉄部を、外周側が多角形形状である環状部３２の外周に、周方向に分割した積層コア（外周コア５０）を等間隔に配置して形成することもできる（図３５参照）。一例として、図３５に示す例では積層コア（外周コア５０）を４８分割とした例を示しているが、もちろん、それ以外の構造としてもよい。
【００８３】
上記の実施形態と同様、爪部３１は、はそれぞれ樹脂ホルダ８０に固定または固着されていてもよい。樹脂ホルダ８０は、例えば、爪部３１と別途成型された樹脂部材で、軸方向の両側から爪部３１を嵌合させて周方向の角度、対向距離を位置決めする構造であってもよい。
【産業上の利用可能性】
【００８４】
本発明は、多相クローポールモータ、さらには該モータを駆動源とする電動パワーステアリング等の各種産業機械や各種駆動装置、さらには、これらが搭載された車両などに適用して好適である。
【符号の説明】
【００８５】
１…多相クローポールモータ、２…固定子、４…環状コイル、５…磁路形成部材、６…介在物（位置決め部材）、１１…シャフト（回転子）、１２…軸受、１３…ロータコア、１４…永久磁石、１５…センサー磁石、１６…前面ブラケット、１７…背面ブラケット、１８…センサー、１９…樹脂モールド、３０…爪磁極、３１…爪部、３１ａ…磁極面、３２…環状部、３４…外周部、３５…被係合部、４１…巻線、４２…巻線端末、５０…外周コア（磁路形成部材）、５１…電磁鋼板、５５…係合部、５６…隙間、５７…巻コア（軟磁性板、磁路形成部材）、５７ａ…間隙、８０…樹脂ホルダ（ホルダ）、８１…切欠き部、８２…位置決め部、８３…突部
【図１】
2019165633.tif 000003
【図２】
2019165633.tif 000004
【図３】
2019165633.tif 000005
【図４】
2019165633.tif 000006
【図５】
2019165633.tif 000007
【図６】
2019165633.tif 000008
【図７】
2019165633.tif 000009
【図８】
2019165633.tif 000010
【図９】
2019165633.tif 000011
【図１０】
2019165633.tif 000012
【図１１】
2019165633.tif 000013
【図１２】
2019165633.tif 000014
【図１３】
2019165633.tif 000015
【図１４】
2019165633.tif 000016
【図１５】
2019165633.tif 000017
【図１６】
2019165633.tif 000018
【図１７】
2019165633.tif 000019
【図１８】
2019165633.tif 000020
【図１９】
2019165633.tif 000021
【図２０】
2019165633.tif 000022
【図２１】
2019165633.tif 000023
【図２２】
2019165633.tif 000024
【図２３】
2019165633.tif 000025
【図２４】
2019165633.tif 000026
【図２５】
2019165633.tif 000027
【図２６】
2019165633.tif 000028
【図２７】
2019165633.tif 000029
【図２８】
2019165633.tif 000030
【図２９】
2019165633.tif 000031
【図３０】
2019165633.tif 000032
【図３１】
2019165633.tif 000033
【図３２】
2019165633.tif 000034
【図３３】
2019165633.tif 000035
【図３４】
2019165633.tif 000036
【図３５】
2019165633.tif 000037